(57)【要約】【課題】大小さまざまな景品を合理的にかつ豪華に展示できるマルチクレーンゲーム装置を提供する。【解決手段】  それぞれ異なったプレイヤにより操作される複数のクレーンゲーム機を、単一の共通ケーシングに装置し、各クレーンゲーム機のゲーム領域に対応して景品台の上面を複数の景品台領域に仕切るため手前側から奥側に向かって延びる間仕切板装置を設けてなるマルチクレーンゲーム機において、  間仕切板装置を下記の構成要素、即ち、1．  景品台上で、左右方向に移動自在、着脱自在に取り付けられる下位仕切板。2.  下位仕切板に対して、スライド自在に設けられる上位仕切板。3．  上位仕切板を下位仕切板に対して所望の相対高さに解除自在に固定するロック装置。とにより構成し、更に、間仕切板装置の横方向位置に応じて、対応するクレーンゲーム装置のゲーム領域を限定制御する装置を設ける。【選択図】図3
2005080852.tif 000002
【特許請求の範囲】
【請求項１】
それぞれ異なったプレイヤにより操作される複数のクレーンゲーム機（20、40）を、単一の共通ケーシングに装置し、各クレーンゲーム機（20、40）のゲーム領域に対応して景品台の上面を複数の景品台領域に仕切るため手前側から奥側に向かって延びる仕切板装置（30、300、320）を設けてなるマルチクレーンゲーム機において、
仕切板装置（300、320）を下記の構成要素、即ち、
1．  景品台上で、左右方向に移動自在、着脱自在に取り付けられる下位仕切板（301、321）。
2．  下位仕切板（301、321）に対して、スライド自在に設けられる上位仕切板（302、322）。
3．  上位仕切板（302、322）を下位仕切板（301、321）に対して所望の相対高さに保持する装置（302h、304、323）。
とにより構成し、更に、
仕切板装置（300、320）の左右方向位置に応じて、対応するクレーンゲーム装置（20、40）のゲーム領域（290、490）を限定制御する装置（600）を設けてなるマルチクレーンゲーム装置。
【請求項２】
上位仕切板（302）の両側に、その縁辺に沿って長孔ガイド（302h）が設けられ、  
下位仕切板（301）の両側の、長孔ガイド（302h）に対応する位置にねじ孔が設けられ、
上位仕切板（302）を下位仕切板（301）に対して所望の相対高さに保持する装置が、上位仕切板（302）の長孔ガイド（302h）を貫通して下位仕切板（301）のねじ孔にねじ込み得る止ねじ（304）とからなる請求項1に記載のマルチクレーンゲーム装置。
【請求項３】
上位仕切板（302）を下位仕切板（301）に対して所望の相対高さに保持する装置が、マグネチックチャック装置である請求項1に記載のマルチクレーンゲーム装置。
【請求項４】
下位仕切板（301）がその両端にそれぞれ支柱を有し、支柱の相対する面に、上位仕切板の端部がしっくりとスライド自在に嵌め込まれ、所望の高さに保持される請求項1に記載のマルチクレーンゲーム装置。
【請求項５】
上位仕切板（302）が、その両端部の縁辺に沿って設けられたラック歯車（3231）を有し、
下位仕切板（301）が、その両端部に上記ラック歯車（3231）と噛み合うピニオン歯車（3232）と、そのピニオン歯車（3232）を駆動する駆動機構（3233、3244）を備えた支柱兼用の上位仕切板昇降装置（323）を具備する請求項1に記載のマルチクレーンゲーム装置。
【請求項６】
下位仕切板（301、321）が、その両端部に支脚（303、323）を有する、請求項1ないし4の何れか一に記載のマルチクレーンゲーム装置。
【請求項７】
下位仕切板（301、321）の支脚（303、323）が、マグネチックチャック装置により景品台上面に着脱される請求項6に記載のマルチクレーンゲーム装置。
【請求項８】
下位仕切板（301、321）の支脚（303、323）が、景品台の上面に広がる広い踏ん張りを有する請求項6に記載のマルチクレーンゲーム装置。
【請求項９】
下位仕切板（301、321）の支脚（303、323）が、面ファスナーにより景品台上面に着脱される請求項6に記載のマルチクレーンゲーム装置。
【発明の詳細な説明】
【技術分野】
【０００１】
本発明は、マルチクレーンゲーム装置、即ち、それぞれ異なったプレイヤにより操作される複数のクレーンゲーム機を単一の共通ケーシングに装置し、各クレーンゲーム機のゲーム領域に対応して景品台の上面を複数の景品台領域に仕切るため手前側から奥側に向かって延びる間仕切板装置を設けてなるマルチクレーンゲーム機に関する。
【背景技術】
【０００２】
このようなマルチクレーンゲーム装置は広く用いられている。
通常は、2プレイヤー用のゲーム装置であり、共通の筐体の内部が２等分され、景品台の上面には、固定された仕切板により二分され、クレーン装置は、それぞれ対応する景品台領域の範囲で作動するようになっている。
【０００３】
一般に、それぞれの景品台領域には、異なったそれぞれ特色のある景品が置かれるが、景品の売れ筋は目まぐるしく変わる上、どのような人気の高い景品でも一通り客に行き渡れば売れ行きが落ちるので、景品の在庫管理は設置店の営業成績に大きく影響する。
又、景品には、大型の縫いぐるみのようなものと、小型のキャラクタや身の回り品等がある。
このような景品を組み合わせて置く場合、景品を同じ高さに積み上げると、小型の景品は必要以上の数を置くことになるため景品の回転率が低下する反面、大型の景品は、必要数の展示ができないことになると言う問題があり、又、小型の景品は高く積み上げないと展示が貧相に見えるという問題があり、景品のデザインなどが制約されていた。
【特許文献１】特開2003-062323
【特許文献２】特開2003-053020
【特許文献３】特開2002-239208
【特許文献４】特開平08-066555
【特許文献５】特開平04-299586
【発明の開示】
【発明が解決しようとする課題】
【０００４】
本発明は叙上の問題点を解決するためなされたものであって、その目的は、様々な大きさの景品を効率良く展示し提供し得るマルチクレーンゲーム装置を提供することにある。
【課題を解決するための手段】
【０００５】
叙上の課題を解決するため、本発明に係るマルチターミナルゲーム装置においては、それぞれ異なったプレイヤにより操作される複数のクレーンゲーム機を、単一の共通ケーシングに装置し、各クレーンゲーム機のゲーム領域に対応して景品台の上面を複数の景品台領域に仕切るため手前側から奥側に向かって延びる間仕切板装置を設けてなるマルチクレーンゲーム機において、
仕切板装置を下記の構成要素、即ち、
1．  景品台上で、左右方向に移動自在、着脱自在に取り付けられる下位仕切板。
2．  下位仕切板に対して、スライド自在に設けられる上位仕切板。
3．  上位仕切板を下位仕切板に対して所望の相対高さに解除自在に固定するロック装置。
とにより構成し、更に、
仕切板装置の横方向位置に応じて、対応するクレーンゲーム装置のゲーム領域を限定制御する装置を設ける。
【０００６】
望ましい実施例においては、
上位仕切板の両側に、その縁辺に沿って長孔ガイドを設け、  
下位仕切板の両側に、長孔ガイドに対応する位置にねじ孔を設け、
上位仕切板の長孔ガイドを貫通して下位仕切板のねじ孔に止ねじをねじ込み、これを締めて、上位仕切板を下位仕切板に対して、所望の高さにロックする。
【０００７】
更に他の実施例においては、上位仕切板を下位仕切板に対してロックするためマグネチックチャック装置又は面ファスナーが用いられる。
【０００８】
更に他の望ましい実施例においては、下位仕切板の両端部に上方に延伸する支柱を設けると共に、その相対向する面に、上位仕切板の端部がきっちりと、但しスライド可能に嵌められるガイド溝を設け、ガイド溝と上位仕切板の端部との摩擦により上位仕切板を所望の位置に保持するようにする。この場合、ガイド溝と上位仕切板の接触面に、ばね等の適宜の摩擦力を生じさせる装置を設けても良い。
【０００９】
下位仕切板を、景品台上に固定するため、その両端部にやや大きな踏ん張りを有する支脚を設けることが望ましい。
又、下位仕切板の支脚にマグネチックチャック装置を設けることも推奨される。
【発明の効果】
【００１０】
本発明は叙上の如く構成されるから、本発明によるときは、大中小様々な景品を合理的に勝つ見栄え良く展示し得るマルチクレーンゲーム装置を提供し得ようになる。
【発明を実施するための最良の形態】
【００１１】
以下図面により本発明の望ましい実施態様について説明する。
【実施例１】
【００１２】
図1は、マルチクレーンゲーム装置の一実例の外観を示す斜視図、
図2は、従来公知のマルチクレーンゲーム装置の構成を示す正面図、
図3は、本発明に係るマルチクレーンゲーム装置も構成を示す正面図、
図4は、仕切板の昇降手段の一例を示す正面図、
図5は、仕切板の昇降手段の他の一例の構成を示す正面図、
図6は、景品落とし口の仕切板を昇降する手段を示す斜視図、
図7は、本発明に係るマルチクレーンゲーム装置の制御回路図である。
【００１３】
図1において、10は2プレーヤー型のマルチクレーンゲーム装置、20は一方のクレーンゲーム機、30は景品台の仕切板装置、40は他の一方のクレーンゲーム機である。
【００１４】
クレーンゲーム機20および40はそれぞれ景品キャッチャー21、41、景品落とし口22、42、景品落とし口の囲い23、43、クレーン左右動制御ボタン24、44、クレーン前後動制御ボタン25、45、コインスロット26、46、景品送り出し口27、47、等の外、図示されていない景品キャッチャー21、42を移動させるクレーン機構、中央制御装置などを有する。
【００１５】
図2に示されている公知のクレーンゲーム機においては、仕切板装置30の位置および高さ及び景品キャッチャー21、42の移動範囲29、49は景品28、48の大きさに無関係に一定である。
【００１６】
このため、大型の景品28は、充分な数量が展示できず、小型の景品48は一際人目を引くような派手な展示が困難であった。  
【００１７】
図3に示す如く、本発明に係るマルチクレーンゲーム装置100においては、景品28、48の形状、大きさ等に合せて、仕切板装置300の左右方向位置および高さを可変とし、かつ仕切板装置300の位置に合せて景品キャッチャー21、42の移動可能範囲290、490を変更し得るように構成するものである。
【００１８】
このため、仕切板装置300は例えば、図4に示す如く構成される。図4において、301は下位仕切板、302は上位仕切板、303は支脚、304は止ねじである。
下位仕切板301は、その両端を一対の支脚303、303で支持されており、支脚303、303は適宜の方法、例えば下端にブックエンドのような踏ん張りを設けるとか、マグネチックチャック、マジックテープなどによるとかして、景品台の適所に固定できるようにする。又、支脚303、303には、それぞれ、止めねじ304がねじ込まれるねじ孔が設けられている。
【００１９】
上位仕切板302は、両端部にそれぞれ止ねじ304が挿通される細長いガイド長孔302hを有し、かつ、一対の支脚303、303により上下方向にスライド自在に支持されている。
【００２０】
止ねじ304は、上位仕切板302の裏側から、ガイド長孔302hを通って、支脚のねじ孔にねじ込まれる。上位仕切板302を所望の高さに保持して、止ねじ304を締め、上位仕切板302を所望の位置に固定する。
【００２１】
このように構成した仕切板装置300を、図3に示したように、大型の景品28および小型の景品48のそれぞれの大きさに合せて適所に配置、固定すれば、それらの景品を合理的に、豪華に積み上げ、展示することが可能となる。
【００２２】
このとき、仕切板装置300の位置に応じて、景品キャッチャー21、42の移動可能範囲290、490を調整する必要がある。
この調整手段の一例は、図7に示されている。
図7において、200、400は、クレーン左右動制御ボタン24、44、クレーン前後動制御ボタン25、45、コインスロット26、46などを有するプレイヤー操作部、201、401は、クレーンゲーム機20、40のローカル制御用のCPU、202、402は、それぞれ、景品キャッチャー21、41の左右方向送りモータ203、403、前後方向送りモータ204、404、昇降モータ205、405を駆動するモータ駆動回路、500はマルチクレーンゲーム装置全体の作動を制御し、稼動状態を記録するCPU、600は景品キャッチャー21、41の移動範囲設定回路である。
【００２３】
ゲーム機の管理者は、移動範囲設定回路600に設けた入力装置を通じて、仕切板装置300の位置に対応する数値を入力すると、CPU500は、ローカル制御用CPU201、401の設定条件を変更し、モータ203、403の作動範囲を、先に図3に示した景品キャッチャー21、41の移動範囲290、490に対応する範囲に変更する。
【００２４】
図5は、仕切板装置の他の実施例を示す。
図中、320は仕切板装置、321は下位仕切板、322は上位仕切板、323は上位仕切板322の昇降装置を内蔵した支脚である。
昇降装置は、上位仕切板322に取り付けられるラック歯車3231、ラック歯車3231に噛み合うピニオン歯車3232、ピニオン歯車3232を駆動する減速ギア付モータ3233、モータ3233の回転をピニオン歯車3232に伝達するベルト3234とから成る。
而して、ゲーム機の管理者は、図示されていない制御スイッチを操作して、上位仕切板322を昇降させ、その高さを適宜に調整する。
【００２５】
本発明に係るマルチクレーンゲーム装置においては、景品台中央の仕切板の高さと共に、景品落とし口の周囲の囲いの高さも調節できるようにすることが推奨される。
この目的のため、前述の仕切板装置300、320と同様な構成のものを用いることができることは当然であるが、更に、例えば、図6に示す如きものも用いられる。
図6において、430は落とし口周囲の囲い板、431は落とし口の壁面、432は壁面431に設けたガイド溝、433はガイド溝に沿ってスライドする囲い板保持具である。囲い板保持具433の一部はガイド溝432に嵌め込まれており、保持具433は手で強く押すことにより、ガイド溝433の沿って昇降させることができる。
囲い板430の下端部は、落とし穴の内部に嵌め込まれており、その下端縁は、囲い板保持具433の上面により支持されている。このため、管理者は保持具433の位置を適宜に調整することにより、囲い板430の高さを調整し得るものである。
【産業上の利用可能性】
【００２６】
本発明は叙上の如く構成されるので、本発明によるときは、景品の大きさに応じて景品台の仕切板装置を移動させると共に、その高さを自在に調整することにより、各種サイズの景品を合理的に、豪華に展示し得るマルチクレーンゲーム装置を提供し得るものである。
【図面の簡単な説明】
【００２７】
【図１】マルチクレーンゲーム装置の一実例の外観を示す斜視図である。
【図２】従来公知のマルチクレーンゲーム装置の構成を示す正面図である。
【図３】本発明に係るマルチクレーンゲーム装置も構成を示す正面図である。
【図４】仕切板の昇降手段の一例を示す正面図である。
【図５】仕切板の昇降手段の他の一例の構成を示す正面図である。
【図６】景品落とし口の仕切板を昇降する手段を示す斜視図である。
【図７】本発明に係るマルチクレーンゲーム装置の制御回路図である。
【符号の説明】
【００２８】
10、100    マルチクレーンゲーム装置
20、40        クレーンゲーム機
21、41        景品キャッチャー
22、42        景品落とし口
23、43        景品落とし口の囲い
24、25        クレーン左右動制御ボタン
25、45        クレーン前後動制御ボタン
26、46        コインスロット
27、47        景品送り出し口    
29、49        景品キャッチャーの移動範囲
200、400    プレイヤ操作部、
201、401    クレーンゲーム機20、40のローカル制御用のCPU
202、402    モータ駆動回路
203、403    左右方向送りモータ
204、404    前後方向送りモータ
205、405    昇降モータ
290、490    景品キャッチャーの移動範囲
30        仕切板
300        仕切板装置
301        下位仕切板
302        上位仕切板
303        支脚
304        止ねじ
320        仕切板装置
321        下位仕切板
322        上位仕切板
323        支脚
3231        ラック歯車
3232        ピニオン歯車
3233        減速ギア付モータ
3234        ベルト
500        CPU
600        景品キャッチャー21、41の移動範囲設定回路
【図１】
2005080852.tif 000003
【図２】
2005080852.tif 000004
【図３】
2005080852.tif 000005
【図４】
2005080852.tif 000006
【図５】
2005080852.tif 000007
【図６】
2005080852.tif 000008
【図７】
2005080852.tif 000009